(57)【特許請求の範囲】
【請求項１】
被写体の光学像を取り込み画像信号を生成する撮像手段と、
静止画記録指示に応じて静止画用画像サイズに対応する画像信号を記録媒体に記録する静止画記録手段と、
動画記録指示に応じて動画用画像サイズに対応する画像信号を前記記録媒体に記録する動画記録手段と、
前記撮像手段により画像信号を繰り返し作成して前記静止画用画像サイズに対応する静止画用スルー画像を表示手段に表示させる静止画用スルー画像表示手段と、
前記撮像手段により画像信号を繰り返し作成して前記動画用画像サイズに対応する動画用スルー画像を前記表示手段に表示させる動画用スルー画像表示手段と、
前記静止画用スルー画像と前記動画用スルー画像を切り替えるスルー画像切替手段と、
前記静止画用スルー画像または前記動画用スルー画像が表示されている際に、前記静止画記録指示または前記動画記録指示を受け付ける受付手段と、
前記静止画用スルー画像表示手段において前記静止画用スルー画像を前記表示手段に表示させる際に、前記動画用画像サイズを示すフレーム枠を前記静止画用スルー画像に重畳せしめる重畳手段と、
前記動画用画像サイズを示すフレーム枠が前記静止画用スルー画像に重畳されている状態で、前記動画記録指示が受け付けられると前記動画用画像サイズに対応する該フレーム枠を含まない動画撮像画像を表示させる手段を備える撮像装置。
【請求項２】
静止画のアスペクト比を設定する静止画アスペクト比設定手段と、
動画のアスペクト比を設定する動画アスペクト比設定手段とを備え、
前記重畳手段は前記静止画アスペクト比と前記動画アスペクト比に基づいたフレーム枠を前記静止画用スルー画像に重畳せしめることを特徴とする、請求項１記載の撮像装置。
【請求項３】
前記静止画記録手段によって記録される画像信号は静止画用イメージエリアより得られ、
前記動画記録手段によって記録される画像信号は動画用イメージエリアにより得られ、
前記静止画アスペクト比設定手段によって設定される静止画のアスペクト比と前記動画アスペクト比設定手段によって設定される動画のアスペクト比が同じである場合は、前記静止画用イメージエリアより前記動画用イメージエリアが小さく、
前記重畳手段は、設定された前記静止画のアスペクト比と前記動画アスペクト比が同じである場合は、垂直方向及び水平方向に延びるガイド線に基づき認識可能なフレーム枠を重畳し、設定された前記動画のアスペクト比の縦に対する横の比率よりも前記静止画のアスペクト比の縦に対する横の比率よりが大きいときは、垂直方向に延びるガイド線に基づき認識可能なフレーム枠を重畳すること特徴とする、請求項２に記載の撮像装置。
【発明の詳細な説明】
【技術分野】
【０００１】
本発明は、特に例えば静止画像および動画像を記録する記録機能を有し、スルー画像を表示器に表示させる撮像装置であって、使用者によって設定される静止画像および動画像の画像サイズに応じた撮像エリアのスルー画像上での表示器への表示の制御を行う撮像装置に関する。
【背景技術】
【０００２】
近年、静止画像を撮像および記録するだけでなく、長時間にわたって動画像を撮像および記録できる機能を有するビデオカメラが商品化されている。撮像された動画像は、ビデオカメラが具備しているモニタに再生表示するだけでなく、ビデオカメラに接続された液晶ディスプレイなどの固定画素方式やブラウン管方式などのテレビ受像機にて再生表示を行うことができる。そして、近年、ハイビジョン画像（ＨＤ：Ｈｉｇｈ  Ｄｅｆｉｎｉｔｉｏｎ）が表示可能なテレビ受像機が普及し、それに応じて、標準画質と称されるＳＤ画像（Ｓｔａｎｄａｒｄ  Ｄｅｆｉｎｉｔｉｏｎ）だけでなくハイビジョン画像をも撮像および記録可能としたビデオカメラが商品化されている。
【０００３】
さて、一般的にハイビジョン画像のアスペクト比は１６：９であり、ＳＤ画像のアスペクト比は４：３である。従って、撮像時にファインダを覗き込まなくても、モニタに撮像する被写体像を確認するための撮像素子から順次出力される画像（スルー画像）を表示させる電子ビューファインダとしての機能を有するビデオカメラにおいても、アスペクト比１６：９の画像とアスペクト比４：３の画像の双方の表示が可能となるように設計されている製品が多い。
【０００４】
そして、従来のビデオカメラでは、撮像待機中にモニタに表示させるスルー画像が、アスペクト比１６：９の動画像である場合と、アスペクト比４：３の静止画像である場合とがあり、電源スイッチやモード切替スイッチなどで撮像モードを切り替えることにより、アスペクト比１６：９のスルー画像とアスペクト比４：３のスルー画像とを切替えていた。しかしながら、このようなモード切替処理には、使用者の煩雑な操作が必要となり、時間が掛かっていた。
【特許文献１】特開２００６−１８０１５２号公報
【発明の開示】
【発明が解決しようとする課題】
【０００５】
従来技術１における撮像装置では、上述した使用者の煩雑な操作を軽減すべく、また使用者の撮像画像の切り替えに応じた記録画像領域を即座に判断できるようにするため、記録する画像データが動画であるか、静止画であるか、或いは動画および静止画双方の画像の並列記録を行っているかの記録状態に応じてガイドフレームを付加し、該ガイドフレームを動的に切り替えて表示させている。
【０００６】
しかしながら、従来技術１では、スルー画像として撮影画像表示領域に静止画対応ガイドフレームおよび動画対応ガイドフレームを表示させるだけであり、使用者が静止画を撮像したいときであってもモニタに表示されるスルー画像は、実際に記録される画像サイズに対応する撮像エリアの静止画用スルー画像ではない。同様に、使用者が動画を撮像したいときであってもモニタに表示されるスルー画像は、実際に記録される画像サイズに対応する撮像エリアの動画用スルー画像ではない。
【０００７】
つまり、従来技術１では、使用者はモニタに表示される撮影待機中のスルー画像を参照して、静止画撮像または動画撮像を行う場合でも、常に静止画用のガイドフレームおよび動画用のガイドフレームが表示された状態となり、使用者は撮像されるであろう撮像エリアが直感的に認識できず、かつ必ずしも見やすいといえるスルー画像を見ることができなかった。
【０００８】
本発明は、上記の問題点を解決するもので、特に、例えば、より簡単な操作に、また迅速に、使用者が撮像の際に直感的に画像サイズに対応する撮像エリアを認識させる撮像装置を提供するものである。
【課題を解決するための手段】
【０００９】
第１の発明の撮像装置は、被写体の光学像を取り込み画像信号を生成する撮像手段と、静止画記録指示に応じて静止画用画像サイズに対応する撮像信号を記録媒体に記録する静止画記録手段と、動画記録指示に応じて動画用画像サイズに対応する撮像信号を前記記録媒体に記録する動画記録手段と、撮像手段により撮像信号を繰り返し作成して静止画用画像サイズに対応する静止画用スルー画像を表示手段に表示させる静止画用スルー画像表示手段と、撮像手段により撮像信号を繰り返し作成して動画用画像サイズに対応する動画スルー画像を表示手段に表示させる動画用スルー画像表示手段と、静止画用スルー画像と動画用スルー画像を切り替えるスルー画像切替手段と、静止画用スルー画像または動画用スルー画像が表示されている際に、静止画記録指示または動画記録指示を受け付ける受付手段と、を備えることを特徴とする。
【００１０】
第２の発明の撮像装置は、第１の発明の撮像装置に従属し、静止画用スルー画像表示手段において静止画用スルー画像を表示手段に表示させる際に、動画用画像サイズを示すフレーム枠を静止画用スルー画像に重畳せしめる重畳手段をさらに備えることを特徴とする。
【００１１】
第３の発明の撮像装置は、第１または第２の発明の撮像装置に従属し、静止画のアスペクト比を設定する静止画アスペクト比設定手段と、動画のアスペクト比を設定する動画アスペクト比設定手段を更に備え、重畳手段は静止画アスペクト比と動画アスペクト比に基づいたフレーム枠を静止画用スルー画像に重畳せしめることを特徴とする。
【発明の効果】
【００１２】
この発明によれば、より簡単な操作で、また迅速に、使用者が撮像の際に直感的に画像サイズに対応する撮像エリアを認識できる撮像装置を提供するものである。
【発明を実施するための最良の形態】
【００１３】
本実施例においては、撮像装置の１つの例として、電子カメラ１０の形態を説明する。
【００１４】
電子カメラ１０の外観図を図１および図２に示す。図１は電子カメラ１０の前面を示す斜視図であり、図２は電子カメラ１０の背面を示す斜視図である。
【００１５】
図１および図２に示すように、電子カメラ１０は、少なくともレンズ部２を含む撮像部１２、ＬＣＤモニタ４ａを含むファインダ部４、ヒンジ部６、操作ボタン８ａ〜８ｆを備える。
【００１６】
図１は、ＬＣＤモニタ４ａが露出しないように、ファインダ部４が、撮像部１２を有する本体機器に収納されている状態を示した図である。通常、使用者はこのような形で撮像操作は行わない。図２は図１の背面を示しており、２軸のヒンジ部６を介して、ファインダ部４を回動させられ、本体機器に対してＬＣＤモニタ４ａが略垂直に位置している状態を示している。
【００１７】
ＬＣＤモニタ４ａは、再生画像及びスルー画像を表示し、撮影待機中にスルー画像が表示されることによって電子ファインダとしても機能する。操作部８を構成する８ａ〜８ｆを詳しく説明すると、８ａは撮影モードおよび再生モードのいずれかに動作モードを切り替える撮像／再生切替スイッチである。該撮像／再生切替スイッチ８ａがＸ位置（上位置）に移動されると撮影モードに設定され、Ｙ位置（下位置）に移動されると再生モードに設定される。８ｂは押下されることによって撮像部１２の動画撮像処理を開始／終了する動画撮像スタート／エンドボタンであり、８ｃは静止画撮像処理を指示する静止画撮像ボタンである。８ｄはメニューボタンであり、押下されることによってＬＣＤモニタ４ａに選択可能なメニュー設定項目等が表示される。８ｅは上下左右４方向に手動操作されることにより、４方向のいずれかに傾いた状態となり、手動操作を解除すると傾いた状態から元の中立位置に戻るように構成されたカーソルキーであり、この４方向のいずれかの方向に操作することで、ＬＣＤモニタ４ａ内に表示される項目等を選択指示することができる。このカーソルキー４ｅの４方向の中心部は、セットキーを兼用しており、４方向の中立位置にある際に押下されることによりセット動作が為され、項目等を決定し選択決定された項目が設定される。また、８ｆは、ＬＣＤモニタ４ａに表示されるスルー画像の表示画像サイズを切り替える切替ボタンである。この切替ボタン８ｆが押下されることによって、後述するスルー画像の切替処理が為される。
【００１８】
次に図１および図２で示した電子カメラ１０内部のブロック図である図３を用いて、電子カメラ１０の動作を更に詳細に説明する。
【００１９】
電子カメラ１０は、レンズ部２、ＬＣＤモニタ４ａ、操作部８、絞り機構１４、ＣＭＯＳイメージャ１６ａ、タイミングジェネレータ（ＴＧ）１６ｂおよびＡＦＥ部１６ｃを含むＣＭＯＳイメージャユニット１６、信号処理部１８、ＳＤＲＡＭ２０、タイマＴ２２ａを含むＣＰＵ２２、画像圧縮・伸張処理部２４、カード制御部２６、外部メモリカード２８、モータ駆動部３０および内部メモリ３２を備えて構成されている。
【００２０】
レンズ部２は、被写体の光学像を撮像素子であるＣＯＭＳイメージャ１６ａの撮像面上に結像させる。また、レンズ部２はＣＭＯＳイメージャ１６ａの出力信号に基づいて光軸方向の移動が調節される。絞り機構１４は、制御されることによりレンズ部２からＣＭＯＳイメージャ１６ａに入る光を調節する。レンズ部２および絞り１４の調節は、モータ駆動部３０で行われる。
【００２１】
図４は、ＣＭＯＳイメージャ１６ａの受光面を示した図である。ＣＭＯＳイメージャ１６ａには原色フィルタ（ベイヤ配列）が装着され、受光面には有効エリアと光学的黒エリア（ＯＢエリア）が形成される。具体的には、有効エリアは受光面の中央に形成されＯＢエリアは受光面の周辺に形成される。
【００２２】
ＣＭＯＳイメージャ１６ａは、画素単位で増幅器を持ち、画素単位でアナログ映像信号を読み出す。被写体の光学像は、ＣＭＯＳイメージャ１６ａの受光面上に結像され、ＴＧ１６ｂによって生成されたＣＭＯＳイメージャ１６ａの駆動に必要な転送信号に従って、アナログ撮像信号として出力される。ＴＧ１６ｂは、ＣＰＵ２２から指示される所定のイメージエリアを有効画素として用いて、ＣＭＯＳイメージャ１６ａからアナログ撮像信号として出力させる。
【００２３】
本実施例では、図４に示すように、イメージエリアとしてイメージエリアａ〜ｄが有効エリア内に存在する。図４を用いて説明すると、イメージエリアａは実線で囲まれた長方形の面積に対応し、イメージエリアｂはイメージエリアａ内の実線で囲まれた面積に対応する。イメージエリアｃは、イメージエリアａの底辺と側辺が交わる点から、底辺に対して垂直方向およびイメージエリアａの底辺と平行に示されている鎖線で囲まれた面積と、イメージエリアａを足した面積に対応する。また、イメージエリアｄは、イメージエリアｂの底辺と側辺が交わる点から、底辺に対して垂直方向およびイメージエリアｂの底辺と平行に示されている鎖線で囲まれた面積に対応する。
【００２４】
イメージエリアａ〜ｄは、使用者によるメニュー設定において、設定された画像サイズに基づいて選択される。本実施例におけるイメージエリアａは、静止画撮像用のアスペクト比１６：９の画像サイズに対応し、イメージエリアｂは、動画撮像用のアスペクト比１６：９の画像サイズに対応し、イメージエリアｃは、静止画撮像用のアスペクト比４：３の画像サイズに対応し、イメージエリアｄは、動画撮像用のアスペクト比４：３の画像サイズに対応する。また、イメージエリアｂ、ｄは、静止画像用のイメージエリアａ、ｃと比較して、動画撮像時に電子手振れ補正処理を施せるように面積が小さくなるように設定されている。
【００２５】
また、本実施例の電子カメラ１０は、動画撮像におけるフレームレートを選択できる。例えば、６０フィールド／秒、６０フレーム／秒、３０フレーム／秒および３００フレーム／秒が、フレームレートとして選択可能である。３００フレーム／秒が選択された場合は、アスペクト比４：３のイメージエリアｃから画素を間引いてアナログ映像信号を読み出す。以後、本実施例における通常動画撮像をフレームレートが６０フレーム／秒の動画撮像として定義し、高速動画撮像をフレームレートが３００フレーム／秒の動画撮像として説明する。
【００２６】
ＣＭＯＳイメージャ１６ａから所定のイメージエリアに基づいて出力されるアナログ撮像信号は、ＡＦＥ（アナログフロントエンド）部１６ｃに入力され、相関２重サンプリング処理、ゲイン調整、クランプ処理およびデジタル信号変換処理が施され、信号処理部１８へ出力される。信号処理部１８では、さまざまな信号処理が実行されることにより生成されたＹ、Ｕ、Ｖ信号が、デジタル画像信号として一旦ＳＤＲＡＭ２０に格納される。ＳＤＲＡＭ２０に格納されたデジタル画像信号は、ＣＰＵ２２の制御により、画像圧縮・伸張処理部２４で、静止画撮像操作が為されたときはＪＰＥＧ規格の圧縮処理が施され、また動画撮像操作が為されたときは、ＭＰＥＧＨ２６４規格の圧縮処理が施されて、圧縮画像データに変換される。そして、カード制御部２６は、ＣＰＵ２２から制御されることにより、外部メモリカード２８を制御し、圧縮画像データを記録する。
【００２７】
また、撮像待機時においては、フレームレートを３０フレーム／秒として、ＣＭＯＳイメージャ１６ａから所定のイメージエリアに基づいて出力されるアナログ撮像信号に対し、上述した同様の信号処理が施され、ＣＰＵ２２の制御により間引き処理が施され、ＬＣＤモニタ４ａにデジタル画像信号として出力され、３０フレーム／秒のスルー画像としてＬＣＤモニタ４ａに表示される。
【００２８】
操作部８は、上述したように動画撮像スタート／エンドボタン８ｂおよび静止画撮像ボタン８ｃを含む。使用者は、操作部８を操作することにより、所望の画像サイズおよび通常動画撮像／高速動画撮像を設定することができる。具体的には、メニューボタン８ｄが押下されることによってＬＣＤモニタ４ａ上にメニュー表示が行われる。使用者は、所望の画像サイズに設定するためにカーソルキー８ｅを４方向に操作し、中心部を押下してセット決定することによって、画像サイズおよび通常動画撮像／高速動画撮像の設定が為される。この設定操作で設定された画像サイズおよび通常動画撮像／高速動画撮像の設定内容は、内部メモリ３２に記憶される。
【００２９】
また、内部メモリ３２には、フラグＳが格納されており、該フラグＳに従って、ＣＰＵ２２は撮像待機中にＬＣＤモニタ４ａに表示させるスルー画像のモードが決定する。ＣＰＵ２２は、フラグＳが１の場合は、ＬＣＤモニタ４ａに表示されるスルー画像として動画用スルー画像を表示させ、フラグＳが０の場合は、ＬＣＤモニタ４ａに表示させるスルー画像として静止画用スルー画像を表示させる。
【００３０】
なお、高速動画撮像の設定が為された場合の画像サイズは、上述したようにＣＭＯＳイメージャ１６ａのアスペクト比４：３のイメージエリアｃで固定される。通常動画撮像および高速動画撮像の例を示すと、動画撮像スタート／エンドボタン８ｂが押下されることにより動画撮像操作の開始が実行された場合において、使用者によって設定された動画撮像用の画像サイズのアペクト比が１６：９であり、通常動画撮像であれば、ＣＭＯＳイメージャ１６ａのイメージエリアｂに対応するアナログ撮像信号が６０フレーム／秒で出力される。そして、出力されたアナログ撮像信号は、上述した処理が施され、外部メモリカード２８にイメージエリアｂに対応する圧縮画像データが記録される。また、使用者によって設定された動画撮像用の画像サイズのアスペクト比が４：３であれば、イメージエリアｄに対応する圧縮画像データが記録される。そして、再び動画撮像スタート／エンドボタン８ｂが押下されることより動画撮像操作の終了が実行されることによって、動画撮像が終了する。
【００３１】
また、動画撮像スタート／エンドボタン８ｂが押下されることにより、動画撮像操作の開始が実行された場合において、使用者によって高速動画撮像が設定されている場合には、ＣＭＯＳイメージャ１６ａのイメージエリアｃから間引きされたアナログ撮像信号が３００フレーム／秒で出力される。この高速動画撮像中は、再び動画撮像スタート／エンドボタン８ｂが押下されたとしても動画撮像は終了せず、所定時間、例えば１０秒間、上述した撮像処理、信号処理および記録処理などの処理が継続される。通常、撮像処理、信号処理および記録処理などはＣＰＵ２２によって制御されているため、ＣＭＯＳイメージャ１６ａから出力されるアナログ撮像信号を外部メモリカード２８に記録するまでの処理の速度はＣＰＵ２２の処理能力に依存する。従って、本実施例においては、ＣＰＵ２２の処理能力を考慮し、高速動画撮像の撮像および記録時間が予め設定されている。また、本実施例においては動画撮像スタート／エンドボタン８ｂの押下の他に、メニューボタンの押下、図示しないズームボタンの操作、電子カメラ１０の電源ＯＦＦ操作などのあらゆる操作を受け付けない。
【００３２】
次に、静止画撮像の例を示すと、静止画撮像ボタン８ｃが押下されることにより静止画撮像操作が実行された場合において、使用者によって設定された静止画撮像用の画像サイズのアスペクト比が１６：９であれば、イメージエリアａに対応する圧縮画像データが記録され、アスペクト比が４：３であれば、イメージエリアｃに対応する圧縮画像データが記録される。
【００３３】
次に、本実施例における撮像待機中に、ＬＣＤモニタ４ａに表示されるスルー画像について説明する。例えば、使用者によって、画像サイズとして静止画撮像用のアスペクト比１６：９の画像サイズが選択され、動画像用のアスペクト比１６：９の画像サイズが選択されたとする。このとき、ＬＣＤモニタ４ａに出力されるスルー画像は、動画撮像用の画像サイズに対応する動画用スルー画像が表示される。本実施例では、スルー画像として動画用スルー画像と、次に述べる静止画用スルー画像が、ＬＣＤモニタ４ａに表示されるが、初期設定として動画用スルー画像がスルー画像として、ＬＣＤモニタ４ａに表示される。動画用スルー画像は、詳細には、イメージエリアｂに対応する画素から出力されるアナログ撮像信号に基づいて、ＬＣＤモニタ４ａに表示させるための間引き処理が行われた画像である。
【００３４】
さて、ここで、使用者が動画撮像スタート／エンドボタン８ｂを押下することにより、動画撮像を実行させる場合、使用者はＬＣＤモニタ４ａに表示されている動画用スルー画像を見ることにより、撮像されるイメージエリアで撮像されることが、直感的に理解できる。しかし、動画用スルー画像を表示させていたとしても、使用者が静止画撮像ボタン８ｃを半押しすると、イメージエリアａに対応するアナログ撮像信号に基づく静止画用スルー画像がＬＣＤモニタ４ａに表示され、さらに静止画撮像ボタン８ｃを全押しすることにより、静止画撮像操作が為された場合には、イメージエリアａに対応するアナログ撮像信号に基づく圧縮画像データが、外部メモリカード２８に記録される。
【００３５】
この場合、使用者が静止画像ボタン８ｃを半押しするまでの撮像待機中においては、使用者はＬＣＤモニタ４ａに表示されている動画用スルー画像を監視することとなり、実際に外部メモリカード２８に記録される静止画像をイメージすることが困難である。
【００３６】
従って、本実施例においては、切替ボタン８ｆが押下されることによって、ＬＣＤモニタ４ａに表示される撮像待機中のスルー画像を、動画用スルー画像から静止画用スルー画像に、または静止画用スルー画像から動画用スルー画像に切り替える構成とした。従って、使用者の撮像待機中において、使用者が所望するスルー画像を簡単に、かつ迅速にＬＣＤモニタ４ａに表示させることができる。
【００３７】
次に、具体的な操作例を説明すると、使用者が静止画撮像を主として行いたい場合には、切替ボタン８ｆが操作されることにより、静止画用スルー画像が表示され、使用者が動画像の撮像を主として行いたい場合には、切替ボタン８ｆが操作されることにより、動画用スルー画像が表示される。このように、簡単な操作で使用者が所望するスルー画像をＬＣＤモニタ４ａに表示させることができ、使用者にとって利便性が向上する。
【００３８】
図５〜図７は、切替ボタン８ｆが操作されることにより、ＬＣＤモニタ４ａに表示される静止画用スルー画像および動画用スルー画像の表示の遷移、および静止画撮像または動画撮像が為された際のＬＣＤモニタ４ａに表示される画像を示した図である。
【００３９】
図５（ａ）は静止画撮像用アスペクト比１６：９かつ動画撮像用アスペクト比１６：９の画像サイズに設定され、ＬＣＤモニタ４ａに動画用スルー画像Ａが表示されている画面を示している。同様に、図５（ｂ）は、静止画撮像用アスペクト比４：３かつ動画撮像用アスペクト比１６：９に画像サイズが設定されており、図５（ｃ）は、静止画撮像用アスペクト比４：３かつ動画撮像用アスペクト比４：３に画像サイズが設定されており、図５（ｄ）は、静止画撮像用アスペクト比１６：９かつ静止画撮像用アスペクト比４：３に画像サイズが設定されており、ＬＣＤモニタ４ａに動画用スルー画像Ｂ〜Ｄが表示されている画面を示している。
【００４０】
そして、図５（ａ）に示す動画用スルー画像Ａが表示されている状態で切替ボタン８ｆが押下されると、ＬＣＤモニタ４ａには図６（ｅ）に示す、静止画用スルー画像Ｅが表示される。そして、静止画用スルー画像Ｅ内に、動画用スルー画像Ａに対応する左右上下にガイド線で示されるフレーム枠ｆｅが、重畳される。
【００４１】
同様に、図５（ｂ）に示す動画用スルー画像Ｂが表示されている状態で、切替ボタン８ｆが押下されると、図６（ｆ）に示す動画用スルー画像Ｂに対応するフレーム枠ｆｆが重畳された静止画用スルー画像ＦがＬＣＤモニタ４ａに表示される。また、図５（ｃ）に示す動画用スルー画像Ｃが表示されている状態で、切替ボタン８ｆが押下されると、図５（ｇ）に示す動画用スルー画像Ｃに対応するフレーム枠ｆｇが重畳された静止画用スルー画像ＧがＬＣＤモニタ４ａに表示される。また、図５（ｄ）に示す動画用スルー画像Ｄが表示されている状態で、切替ボタン８ｆが押下されると、図６（ｈ）に示す動画用スルー画像Ｄに対応するフレーム枠ｆｈが重畳された静止画用スルー画像Ｈが、ＬＣＤモニタ４ａに表示される。
【００４２】
そして、図６（ｈ）においては、静止画像用スルー画像Ｈに重畳されるフレーム枠のガイド線が左右に示されているだけであるが、これは動画像の高さが静止画の高さと同じであるため、上下のガイド線は重畳されずに、ＬＣＤモニタ４ａに表示される。
【００４３】
さらに、図６（ｅ）〜（ｈ）に示す動画用スルー画像Ｅ〜Ｈが表示されている状態で、切替ボタン８ｆが押下されると、ＬＣＤモニタ４ａには、図５（ａ）〜（ｄ）に示す静止画用スルー画像Ａ〜Ｄが表示される。
【００４４】
図６（ｉ）は、図５（ｄ）に示す静止画撮像用の画像サイズのアスペクト比１６：９であって、高速動画撮像モードが設定されている動画用スルー画像Ｄが表示されている状態で、切替えボタン８ｆが押下された場合に、ＬＣＤモニタ４ａに表示される静止画用スルー画像Ｉを示している。この静止画用スルー画像Ｉには、動画用スルー画像Ｄに対応する左右にガイド線で示されるフレーム枠ｆｉが重畳される。図６（ｊ）は、図５（ｃ）に示す静止画撮像用の画像サイズのアスペクト比が４：３であって、高速動画撮像モードが設定されている動画用スルー画像Ｃが表示されている状態で、切替ボタン８ｆが押下された場合に、ＬＣＤモニタ４ａに表示される静止画用スルー画像Ｊを示している。この静止画用スルー画像Ｊは、イメージエリアＡから出力されるアナログ撮像信号に基づくため、切替ボタン８ｆが押下されたとしても、使用者が監視するスルー画像としては、変更がない。
【００４５】
そして、図５（ａ）、（ｂ）に示す動画用スルー画像ＡまたはＢが表示されている状態において、動画撮像スタート／エンドボタン８ｂが押下されることにより、動画撮像開始操作が為されると、ＬＣＤモニタ４ａには図７（ｋ）に示す、イメージエリアｂに基づく動画撮像画像Ｋが表示される。また、同様に、図６（ｅ）、（ｆ）に示すフレーム枠ｆｅまたはフレーム枠ｆｆが重畳されている静止画用スルー画像ＥまたはＦが、表示されている状態において、動画撮像スタート／エンドボタン８ｂが押下されることにより動画撮像スタート操作が為されると、ＬＣＤモニタ４ａにはフレーム枠ｆｅまたはｆｆが解除された図７（ｋ）に示す、イメージエリアｂに基づくアスペクト比１６：９の動画撮像画像Ｋが表示される。
【００４６】
図５（ｃ）、（ｄ）に示す動画用スルー画像ＣまたはＤが表示されている状態において、動画撮像スタート／エンドボタン８ｂが押下されることにより、動画撮像開始操作が為されると、ＬＣＤモニタ４ａには、図７（ｌ）に示す、イメージエリアｄに基づくアスペクト比４：３の動画撮像画像Ｌが表示される。また、同様に、図６（ｇ）、（ｈ）に示す、フレーム枠ｆｇまたはフレーム枠ｆｈが重畳されている静止画用スルー画像Ｇ、またはＨが表示される状態において、動画撮像スタート／エンドボタン８ｂが押下されることにより、動画撮像開始操作が為されると、ＬＣＤモニタ４ａには、図７（ｌ）に示すように、フレーム枠ｆｇまたはｆｈが解除されたイメージエリアｄに基づく動画撮像画像Ｌが表示される。
【００４７】
図５（ｂ）、（ｃ）に示す動画用スルー画像ＢまたはＣが、ＬＣＤモニタ４ａに表示されている状態において、静止画撮像ボタン８ｃが半押しされ続けると、図７（ｍ）に示す、イメージエリアｃに基づくアスペクト比４：３の静止画像スルー画像Ｍが、ＬＣＤモニタ４ａに表示される。また、静止画撮像ボタン８ｃが全押しされると、イメージエリアｃに基づくアスペクト比４：３の静止画像が、ＬＣＤモニタ４ａに１秒間表示され、その後、再び図５（ｂ）、（ｃ）に示す、動画用スルー画像ＢまたはＣが表示される。また、同様に図６（ｆ）、（ｇ）に示す、静止画用スルー画像ＦまたはＧが、ＬＣＤモニタ４ａに表示されている状態において、静止画撮像ボタン８ｃが半押しされ続けると、図７（ｍ）に示すように、フレーム枠ｆｆまたはフレーム枠ｆｇが解除されたイメージエリアｃに基づく静止画用スルー画像Ｍが、ＬＣＤモニタ４ａに表示される。
【００４８】
図５（ａ）、（ｄ）に示す、動画用スルー画像ＡまたはＤが、ＬＣＤモニタ４ａに表示されている状態において、静止画撮像ボタン８ｃが半押しされ続けると、図７（ｎ）に示すイメージエリアａに基づくアスペクト比１６：９の静止画用スルー画像Ｎが、ＬＣＤモニタ４ａに表示される。また、静止画撮像ボタン８ｃが全押しされると、イメージエリアａに基づくアスペクト比１６：９の静止画像が、ＬＣＤモニタ４ａに１秒間表示され、再び図５（ａ）、（ｄ）に示す動画用スルー画像ＡまたはＤが、表示される。
【００４９】
同様に、図６（ｅ）、（ｈ）に示す静止画用スルー画像ＧまたはＨが、ＬＣＤモニタ４ａに表示されている状態において、静止画像ボタン８ｃが半押しされ続けると、図７（ｎ）に示すように、フレーム枠ｆｅまたはフレーム枠ｆｈが解除されたイメージエリアａに基づく静止画用スルー画像Ｎが、ＬＣＤモニタ４ａに表示される。
【００５０】
次に、上述したＣＰＵ２２が実行する処理である、静止画および動画撮像に関連する静止画用スルー画像表示／動画用スルー画像表示の切り替え処理を図８〜図１０を用いて詳細に説明する。
【００５１】
電子カメラ１０を図１のＬＣＤモニタ４ａが露出していない状態から、図２に示すように、ＬＣＤモニタ４ａを露出した状態へと変化されると、まずＣＰＵ２２は、ステップＳ１において、内部メモリ３２に記憶されているＬＣＤモニタ４ａに、動画用スルー画像を表示させる動画用スルー画像モードである（フラグＳ＝１）か、ＬＣＤモニタ４ａに、静止画用スルー画像を表示させる静止画用スルー画像モードである（フラグＳ＝０）かを検出し、かつ静止画／動画撮像用の画像サイズを読み込む。次にステップＳ３へ進み、ステップＳ３では、ステップＳ１において検出したフラグＳが１であるか０であるか否かを判別する。
【００５２】
ステップＳ１において、ＹＥＳと判別するとステップＳ５へ進み、ステップＳ１において検出した動画撮像用の画像サイズに従って、ＣＭＯＳイメージャ１６ａのイメージエリアを決定する。例えば、設定されている画像サイズが、アスペクト比４：３の画像サイズであれば、イメージエリアｄに決定されることとなる。次にステップＳ７へ進み、ステップＳ５において決定されたイメージエリアから出力されるアナログ撮像信号に基づいて、信号処理等の上述した処理が施されたデジタル画像信号を、動画用スルー画像としてＬＣＤモニタ４ａへ出力し、ステップＳ１５へ進む。
【００５３】
ステップＳ３において、ＮＯと判別すると、ステップＳ９へ進み、ステップＳ１において検出した静止画撮像用の画像サイズに従って、ＣＭＯＳイメージャ１６ａのイメージエリアを決定する。例えば、設定されている画像サイズが、アスペクト比１６：９の画像サイズであれば、イメージエリアａに決定されることとなる。次にステップＳ１１へ進み、ステップＳ１１では、ステップＳ１において検出した動画撮像用の画像サイズに基づくフレーム枠を、ステップＳ９において決定されたイメージエリアから出力されるアナログ撮像信号に基づいて、信号処理等の上述した処理が施されたデジタル画像信号に、重畳させる。そして、ステップＳ１３へ進み、フレーム枠が重畳されたデジタル画像信号を、静止画用スルー画像としてＬＣＤモニタ４ａへ出力し、ステップＳ１５へ進む。
【００５４】
ステップＳ１５では、操作部８でのボタン操作が為されたか否かを判別し、ボタン操作が為されると判別するまで待機する。そして、ステップＳ１５において、ＹＥＳと判別すると、ステップＳ１６へ進み、ボタン操作を識別し、ステップＳ１７へ進む。ステップＳ１７では、ステップＳ１６において識別されたボタン操作が、切替ボタン８ｆの押下操作であったか否かを判別する。ステップＳ１７においてＹＥＳと判別すると、ステップＳ１９へ進み、ステップＳ１で検出したフラグＳが１の場合は０と設定し、検出したフラグＳが０の場合は、１と設定し、ステップＳ１へ戻る。
【００５５】
ステップＳ１７においてＮＯと判別すると、ステップＳ２１へ進み、ステップＳ１６において識別されたボタン操作が、静止画または動画撮像用の画像サイズの設定操作であったか否かを判別する。ステップＳ２１においてＹＥＳと判別すると、内部メモリ３２に設定操作に基づく画像サイズを記憶させ、ステップＳ１へ戻る。
【００５６】
ステップＳ２１においてＮＯと判別すると、ステップＳ２５へ進み、ステップＳ１６において識別されたボタン操作が、静止画撮像ボタン８ｃの半押し操作であったか否かを判別する。ステップＳ２５においてＹＥＳと判別すると、ステップＳ２７へ進み、ＣＭＯＳイメージャ１６ａのイメージエリアを決定する。上述したように、設定されている画像サイズがアスペクト比１６：９の画像サイズであればイメージエリアａに決定されることとなり、次にステップＳ２９へ進む。
【００５７】
ステップＳ２９では、ステップＳ２７において決定されたイメージエリアから出力されるアナログ撮像信号に基づいて、信号処理等の上述した処理が施されたデジタル画像信号を、静止画用スルー画像としてＬＣＤモニタ４ａに出力する。次にステップＳ３０へ進み、静止画撮像ボタン８ｃの半押し操作が解除されたか否かを判別し、ＹＥＳと判別するまで待機する。ステップＳ３０においてＹＥＳと判別すると、ステップＳ３１へ進み、ステップＳ３１では、静止画撮像ボタン８ｃが全押し操作されたか否かを判別し、ＹＥＳと判別すると、ステップＳ３３へ進み、ＮＯと判別すると、ステップＳ１へ戻る。
【００５８】
また、ステップＳ２５において、ＮＯと判別するとステップＳ３２へ進み、ステップＳ３２では、ステップＳ１６において識別されたボタン操作が、静止画撮像ボタン８ｃの全押し操作であったか否かを判別する。ステップＳ３２においてＹＥＳと判別すると、ステップＳ３３へ進み、設定されているイメージエリアから出力されているアナログ撮像信号に基づいて、信号処理等の上述した処理を施すよう制御し、外部メモリカード２８へ記録させる。その際に、ＬＣＤモニタ４ａに対して、外部メモリカード２８へ記録される静止画像を間引いて、出力する。そしてステップＳ１へ戻る。
【００５９】
また、ステップＳ３２において、ＮＯと判別すると、ステップＳ３５へ進み、ステップＳ１６において識別されたボタン操作が、動画撮像スタート／エンドボタン８ｂの押下操作であったか否かを判別する。ステップＳ３５においてＮＯと判別すると、ステップＳ１５へ戻り、ＹＥＳと判別するとステップＳ３７へ進む。
【００６０】
ステップＳ３７において、高速動画撮像モードが設定されているか否かを判別する。ステップＳ３７においてＹＥＳと判別すると、ステップＳ３９へ進み、ＣＭＯＳイメージャ１６ａのイメージエリアを決定する。上述したように、本実施例における高速動画撮像モードでは、画像サイズのアスペクト比は、４：３のイメージエリアａに決定されることとなる。そして、ステップＳ４１へ進む。ステップＳ４１では、ＣＰＵ２２内のタイマＴ２２ａに対して、リセット＆スタートさせ、時間を計測する。そしてステップＳ４３へ進み、ステップＳ３９で決定されたイメージエリアから出力されるアナログ撮像信号に、信号処理等の上述した処理を施すよう制御し、外部メモリカード２８へ記録させる。次にステップＳ４５へ進み、タイマＴが１０秒経過したか否かを判別し、ＮＯの場合は、ステップＳ４３の撮像／記録処理を、ステップＳ４５にてＹＥＳと判別するまでし続け、ＹＥＳと判別するとステップＳ５３へ進み、上述した撮像および記録処理を停止せしめ、ステップＳ１へ戻る。
【００６１】
また、ステップＳ３７においてＮＯと判別すると、ステップＳ４７へ進む。ステップＳ３７において、ＮＯと判別した場合は、通常動画撮像モードであり、ステップＳ４７では、ＣＭＯＳイメージャ１６ａのイメージエリアを決定する。上述したように、設定されている画像サイズがアスペクト比１６：９の画像サイズであれば、イメージエリアｂに決定されることなり、次にステップＳ４９へ進む。ステップＳ４９では、設定されているフレームレートに従って、ステップＳ４７において決定されたイメージエリアからアナログ撮像信号を出力させ、該アナログ撮像信号に信号処理等の上述した処理を施すよう制御し、外部メモリカード２８へ順次記録させる。そして、ステップＳ５１に進み、再び動画撮像スタート／エンドボタン８ｂが押下操作されたか否かを判別し、ＮＯと判別すると、ステップＳ４９へ戻り、ＹＥＳと判別すると、ステップＳ５３へ進み、撮像／記録処理を終了せしめステップＳ１へ戻る。
【００６２】
このように、本実施例による電子カメラ１０では、使用者が撮像操作を行うまでの撮像待機中に、ＬＣＤモニタ４ａに表示される動画用スルー画像と静止画用スルー画像が、切替ボタン８ｆが押下されることにより、簡単に切り替えられるため、使用者は、各自の所望する撮像条件にあったスルー画像を、表示することができる。これによって、使用者はより簡単に、撮像範囲を確認することができ、利便性が上がる。
【００６３】
また、静止画用スルー画像が表示されている際にも、動画の画像サイズを示したフレーム枠が重畳されて、ＬＣＤモニタ４ａ上に表示されるため、使用者は、静止画用スルー画像を表示させつつも、動画の画像サイズが把握できるため、動画の撮像もしやすくなる。
【００６４】
なお、本実施例において、撮像素子としてＣＭＯＳを採用しているが、ＣＣＤ（Ｃｈａｒｇｅ  Ｃｏｕｐｌｅｄ  Ｄｅｖｉｃｅ）を採用しても良い。
【００６５】
また、本実施例において、ＡＦＥ部１６ｃにてデジタル信号変換処理が施された信号が、直接、信号処理部１８に入力されているが、一旦、ＳＤＲＡＭ２０に格納させて、ＳＤＲＡＭ２０から信号処理部１８へ出力させても良い。
【図面の簡単な説明】
【００６６】
【図１】本発明の一実施例である電子カメラの外観を示す外観図である。
【図２】本発明の一実施例である電子カメラの他の外観を示す外観図である。
【図３】本発明の一実施例である電子カメラの構成を示すブロック図である。
【図４】本発明の一実施例である電子カメラの撮像素子の構成を示す図解図である。
【図５】本発明の一実施例である電子カメラのＬＣＤモニタに表示されるスルー画像の遷移の一部を示す図解図である。
【図６】本発明の一実施例である電子カメラのＬＣＤモニタに表示されるスルー画像の遷移の他の一部を示す図解図である。
【図７】本発明の一実施例である電子カメラのＬＣＤモニタに表示されるスルー画像の遷移のさらに他の一部を示す図解図である。
【図８】本発明の一実施例である電子カメラの動作の一部を示すフロー図である。
【図９】本発明の一実施例である電子カメラの動作の他の一部を示すフロー図である。
【図１０】本発明の一実施例である電子カメラの動作の他の一部を示すフロー図である。
【符号の説明】
【００６７】
２      …レンズ部
４ａ    …ＬＣＤモニタ
８      …操作部
８ｂ    …動画撮像スタート／エンドボタン
８ｃ    …静止画撮像ボタン
８ｄ    …メニューボタン
８ｅ    …カーソル／決定ボタン
８ｆ    …切替ボタン
１６    …ＣＭＯＳイメージユニット
１８    …信号処理部
２０    …ＳＤＲＡＭ
２２    …ＣＰＵ
２２Ｔ  …タイマ
２４    …画像圧縮・伸張処理部
２６    …カード制御部
２８    …外部メモリカード
３２    …内部メモリ
【図１】
0005171398.tif 000002
【図２】
0005171398.tif 000003
【図３】
0005171398.tif 000004
【図４】
0005171398.tif 000005
【図５】
0005171398.tif 000006
【図６】
0005171398.tif 000007
【図７】
0005171398.tif 000008
【図８】
0005171398.tif 000009
【図９】
0005171398.tif 000010
【図１０】
0005171398.tif 000011